(57)【要約】【課題】設置および取り外しを容易に行なうことができる仕切板を提供する。【解決手段】第２種仕切板８２は収納棚の収納空間を仕切る仕切部１３０と、仕切部１３０に設けられ、収納棚に設けられる穴に挿入される被挿入部を仕切部１３０の外郭から突出しない第１位置と、仕切部１３０の外郭から突出する第２位置とに切り換える切換部１４０とを備える。【選択図】図５
2020054526.tif 000002
【特許請求の範囲】
【請求項１】
収納棚の収納空間を仕切る仕切部と、
前記仕切部に設けられ、前記収納棚に設けられる穴に挿入される被挿入部を前記仕切部の外郭から突出しない第１位置と、前記仕切部の外郭から突出する第２位置とに切り換える切換部とを備える
仕切板。
【請求項２】
前記切換部は前記被挿入部を前記第２位置に付勢する付勢部材を含む
請求項１に記載の仕切板。
【請求項３】
前記切換部は複数の前記被挿入部の前記第１位置と前記第２位置とを一括して切り替える
請求項１または２に記載の仕切板。
【請求項４】
前記切換部は前記被挿入部を支持する支持部と、
前記支持部に挿入されるボルトと、
前記ボルトに挿入され、前記ボルトが回転したときに前記ボルトの軸方向に移動することによって、前記被挿入部の前記第１位置と前記第２位置とが切り替えられるように前記支持部を移動させる移動部とを備える
請求項１〜３のいずれか一項に記載の仕切板。
【請求項５】
前記ボルトに設けられ、前記ボルトを回転させるための操作部をさらに備える
請求項４に記載の仕切板。
【発明の詳細な説明】
【技術分野】
【０００１】
本発明は仕切板に関する。
【背景技術】
【０００２】
収納棚の収納空間を用途に応じて区画する仕切板が知られている。その一例である特許文献１に記載の仕切用板は定着穴(８)、および、定着穴(８)に挿入されるダボ(９)を備える。仕切用板は定着穴(８)に挿入されたダボ(９)が例えば棚装置の天枠板(２)の通孔(１１)に挿入されることによって、棚装置に固定される。
【先行技術文献】
【特許文献】
【０００３】
【特許文献１】特開２００４−２２３２２７号公報
【発明の概要】
【発明が解決しようとする課題】
【０００４】
特許文献１の仕切用板では、仕切用板を棚装置から取り外す場合、天枠板(２)を取り外したあと、仕切用板を取り外す。一方、棚装置が組み立てられた状態で仕切用板を棚装置に設置する場合、天板枠(２)を取り外したあと、仕切用板を設置する。このため、仕切用板の設置および取り外しに関する作業が煩雑である。
【課題を解決するための手段】
【０００５】
(１)本発明に関する仕切板は収納棚の収納空間を仕切る仕切部と、前記仕切部に設けられ、前記収納棚に設けられる穴に挿入される被挿入部を前記仕切部の外郭から突出しない第１位置と、前記仕切部の外郭から突出する第２位置とに切り換える切換部とを備える。
上記仕切板によれば、被挿入部が第１位置の状態で仕切板を収納棚の収容空間に配置し、切換部によって被挿入部の位置を第２位置に切り替えることによって、被挿入部が収納棚の穴に挿入される。このため、収納棚を分解することなく、仕切板を設置できる。被挿入部が第２位置の状態で切換部によって被挿入部を第１位置に切り替えることによって、被挿入部が収納棚の穴から抜かれる。このため、収納棚を分解することなく、仕切板を収納棚から取り外すことができる。このように、上記仕切板によれば、設置および取り外しを容易に行なうことができる。
【０００６】
(２)好ましい例では(１)に記載の仕切板において、前記切換部は前記被挿入部を前記第２位置に付勢する付勢部材を含む。
被挿入部が第２位置の状態を容易に維持できるため、仕切板が収納棚から外れにくい。
【０００７】
(３)好ましい例では(１)または(２)に記載の仕切板において、前記切換部は複数の前記被挿入部の前記第１位置と前記第２位置とを一括して切り替える。
このため、利便性が高められる。
【０００８】
(４)好ましい例では(１)〜(３)のいずれか一項に記載の仕切板において、前記切換部は前記被挿入部を支持する支持部と、前記支持部に挿入されるボルトと、前記ボルトに挿入され、前記ボルトが回転したときに前記ボルトの軸方向に移動することによって、前記被挿入部の前記第１位置と前記第２位置とが切り替えられるように前記支持部を移動させる移動部とを備える。
このため、仕切板の構成を簡素化できる。
【０００９】
(５)好ましい例では(４)に記載の仕切板において、前記ボルトに設けられ、前記ボルトを回転させるための操作部をさらに備える。
ボルトを容易に回転させることができるため、被挿入部の第１位置と第２位置とを容易に切り替えることができる。
【発明の効果】
【００１０】
本発明に関する仕切板によれば、設置および取り外しを容易に行なうことができる。
【図面の簡単な説明】
【００１１】
【図１】実施形態の仕切板を備える収納システムの第１形態の正面図。
【図２】図１の収納システムの第２形態の正面図。
【図３】図１のＤ３−Ｄ３線に沿う断面図。
【図４】図１の収納部に収納される間仕切収納部材の斜視図。
【図５】図４の第２種仕切板の斜視図。
【図６】図５の第２種仕切板の内部構造を示す図。
【図７】図２の収納システムの組立手順の一例を示す断面図。
【図８】図７の収納システムの組立手順の一例を示す断面図。
【図９】図８の収納システムの組立手順の一例を示す断面図。
【図１０】第１被挿入部および第２被挿入部が第１位置のときの第２種仕切板およびその周辺の図。
【図１１】第１被挿入部が第１位置であり、第２被挿入部が第２位置のときの第２種仕切板およびその周辺の図。
【図１２】第１被挿入部および第２被挿入部が第２位置のときの第２種仕切板およびその周辺の図。
【発明を実施するための形態】
【００１２】
(実施形態)
図１を参照して、実施形態の仕切板８０を含む収納システム１について説明する。収納システム１は建築物２００の屋内、または、屋外の床、壁、天井等を有する場所に設置される。建築物２００の一例は個別住宅、集合住宅、蔵、納屋、および、車庫である。収納システム１が建築物２００に設けられる室２１０の中間部に設置される場合、間仕切収納の機能によって室２１０が区画され、さらには、間仕切収納の壁厚を利用した収納の機能を利用できる。収納システム１が建築物２００に設けられる室２１０の壁際に設置される場合、間仕切収納の壁厚を利用した収納の機能のみを利用できる。室２１０の一例はリビング、ダイニング、リビングダイニング、寝室、応接室、書斎、玄関、廊下、階段室、トイレ、洗面所、脱衣所、浴室、物置、および、納戸である。
【００１３】
近年では、ユーザの生活スタイルの変化に応じて室２１０の利用形態を多様に変更できることが望まれている。ユーザの生活スタイルの変化の一例はユーザの家族構成の変化である。収納システム１は室２１０の利用形態を多様に変更できるように構成されている。収納システム１の形態は室２１０の利用形態に応じてユーザに選択される第１形態(図１参照)、および、第２形態(図２参照)を含む。第１形態は室２１０を第１空間３１０および第２空間３２０(いずれも図３参照)に区画する形態である。第２形態は室２１０を区画しない形態である。
【００１４】
図１に示されるように、収納システム１を構成する主な要素は収納棚１０および収納部１５０である。収納棚１０は一対の縦枠２０および間仕切収納部材３０を備える。一対の縦枠２０は収納部１５０を支持する。一対の縦枠２０は建築物２００の壁２２０に固定される。一対の縦枠２０を構成する材料は任意に選択できる。一例では、一対の縦枠２０を構成する材料は木である。
【００１５】
間仕切収納部材３０は収納システム１が第１形態の場合に一対の縦枠２０、収納部１５０、および、室２１０の床２３０によって囲まれる開口部４００に配置される。間仕切収納部材３０を構成する材料は任意に選択できる。好ましい例では、間仕切収納部材３０はユーザが容易に持ち運べるように軽量な材料によって構成される。その一例は木である。間仕切収納部材３０の種類は多種多様である。一例では、間仕切収納部材３０は複数の基礎棚板４０、複数の非開口パネル５０、複数の開口パネル６０、複数の引出ユニット７０、複数の仕切板８０、および、複数の小棚板９０を含む。
【００１６】
図４に示される基礎棚板４０は一対の縦枠２０に接続される。このため、収納システム１の水平方向、換言すれば、基礎棚板４０の短手方向の強度が高められる。基礎棚板４０は支持部４１、凸部４２、および、複数の溝４３を備える。支持部４１は非開口パネル５０、開口パネル６０、引出ユニット７０、および、仕切板８０を支持する。凸部４２は支持部４１の長手方向の端面４１Ａから突出する。凸部４２は一対の縦枠２０の凹部２１(図８参照)に挿入される。このため、縦枠２０と基礎棚板４０との位置決めを容易に実施できる。凸部４２が凹部２１に挿入されることによって、一対の縦枠２０に対する基礎棚板４０の短手方向の移動が規制される。複数の溝４３は非開口パネル５０、開口パネル６０のフレーム６１、および、引出ユニット７０のフレーム７２(図４参照)が嵌めこまれる。複数の溝４３は支持部４１の長手方向に沿って設けられる。基礎棚板４０に設けられる溝４３の数は１または複数である。一例では、１枚の基礎棚板４０には、４つの溝４３が設けられる。
【００１７】
非開口パネル５０は収納システム１が第１形態の場合に溝４３に嵌め込まれることによって、第１空間３１０および第２空間３２０の一方から他方を視認できないように開口部４００を遮蔽する。非開口パネル５０の溝４３への嵌め込み方式はケンドン式である。このため、非開口パネル５０を容易に設置できる。
【００１８】
開口パネル６０は基礎棚板４０または小棚板９０に置かれた物体を出し入れするために利用される。開口パネル６０は基礎棚板４０の溝４３に嵌め込まれるフレーム６１、フレーム６１に取り付けられる建具６２、および、建具６２に取り付けられる取手６３を備える。フレーム６１の溝４３への嵌め込み方式はケンドン式である。このため、開口パネル６０を容易に設置できる。建具６２は例えば、戸である。戸の種類は例えば、両開きの開き戸、片引きの引戸、引違の引戸、引分の引戸、片引きの吊戸、引違の吊戸、引分の吊戸、上開き戸、下開き戸、および、折戸等である。図４等に示される例では、建具６２は上開き戸、両開きの開き戸、および、引違の引戸である。取手６３は建具６２に着脱可能である。取手６３は建具６２に設けられる穴６２Ａ(図４参照)に取り付けられる。
【００１９】
引出ユニット７０は基礎棚板４０に載せられる。引出ユニット７０は物品を収納可能であるユニット本体７１、ユニット本体７１が一対の縦枠２０から飛び出すことを抑制するフレーム７２、および、ユニット本体７１に取り付けられる取手７３を備える。フレーム７２は基礎棚板４０の溝４３にはめ込まれる。フレーム７２の溝４３への嵌め込み方式はケンドン式である。このため、フレーム７２を容易に設置できる。取手７３はユニット本体７１に着脱可能である。取手７３はユニット本体７１に設けられる穴７１Ａ(図４参照)に取り付けられる。
【００２０】
複数の仕切板８０は一対の縦枠２０の長手方向に並べられた基礎棚板４０の間の領域を区画する。複数の仕切板８０にはそれぞれ被挿入部１１０(図８参照)が取り付けられる。被挿入部１１０の一例はダボである。仕切板８０に取り付けられた被挿入部１１０が基礎棚板４０の支持部４１に設けられる穴４１Ｂ(図４参照)に挿入されることによって、基礎棚板４０と仕切板８０とが連結される。
【００２１】
複数の仕切板８０は第１種仕切板８１および第２種仕切板８２を含む。第１種仕切板８１は取り付けられた被挿入部１１０の位置が変化しないように構成される。第２種仕切板８２は収納棚１０への設置、および、収納棚１０からの取り外しを容易に行なうことができるように、取り付けられた被挿入部１１０の位置が変化するように構成される。
【００２２】
図５に示される第２種仕切板８２を構成する主な要素は仕切部１３０および切換部１４０(図６参照)である。仕切部１３０は収納棚１０の収納空間を仕切る。仕切部１３０は切換部１４０を収容する凹部１３０Ａを含む基礎部１３１、および、凹部１３０Ａを閉鎖するように基礎部１３１に取り付けられる一対の側板１３２を備える。一対の側板１３２のうちの一方には、切換部１４０の操作部１４５を操作するための小窓１３２Ａが設けられる。
【００２３】
図６は基礎部１３１および切換部１４０の構造の説明のために、第２種仕切板８２から小窓１３２Ａが設けられる側板１３２を省略した斜視図である。基礎部１３１は一対の側壁１３３、および、一対の側壁１３３の下部を接続する底壁１３４を備える。一対の側壁１３３は長手方向の中央において内側に突出した突出部１３５を備える。
【００２４】
切換部１４０は被挿入部１１０を仕切部１３０の外郭から突出しない第１位置と仕切部１３０の外郭から突出する第２位置とに切り換える。切換部１４０を構成する主な要素は第１支持部１４１、第２支持部１４２、ボルト１４３、移動部１４４、操作部１４５、および、付勢部材１４６である。第１支持部１４１および第２支持部１４２は被挿入部１１０を支持する。第１支持部１４１および第２支持部１４２の形状は例えば直方体である。第１支持部１４１は凹部１３０Ａにおいて、突出部１３５の上面１３５Ａよりも上側に配置される。第２支持部１４２は凹部１３０Ａにおいて、突出部１３５の下面１３５Ｂと底壁１３４との間に配置される。
【００２５】
第１支持部１４１および第２支持部１４２はそれぞれ、１または複数の被挿入部１１０を支持する。図６等で示される例では、第１支持部１４１および第２支持部１４２はそれぞれ、２つの被挿入部１１０を支持する。このため、第１支持部１４１および第２支持部１４２は複数の被挿入部１１０の第１位置と第２位置とを一括して切り替える。被挿入部１１０は第１支持部１４１に設けられる穴１４１Ａ、および、第２支持部１４２に設けられる穴１４２Ａに挿入される。このため、被挿入部１１０は第１支持部１４１および第２支持部１４２に対して着脱可能である。別の例では、被挿入部１１０は第１支持部１４１および第２支持部１４２に固定される。以下では、第１支持部１４１に支持される被挿入部１１０を第１被挿入部１１１と称し、第２支持部１４２に支持される被挿入部１１０を第２被挿入部１１２と称することがある。第１被挿入部１１１は第１位置において、第１支持部１４１から突出する。第２被挿入部１１２は第１位置において、第２支持部１４２から突出し、先端が底壁１３４の穴１３４Ａ内に位置する。
【００２６】
ボルト１４３は第１支持部１４１に設けられる貫通孔１４１Ｂ、第２支持部１４２に設けられる貫通孔１４２Ｂ、および、底壁１３４に設けられる貫通孔１３４Ｂに挿入される。貫通孔１４１Ｂ、１４２Ｂ、１３４Ｂの内径はボルト１４３の外径よりも大きい。
【００２７】
移動部１４４はボルト１４３に挿入され、ボルト１４３が回転したときにボルト１４３の軸方向に移動することによって、被挿入部１１０の第１位置と第２位置とが切り替えられるように第２支持部１４２を移動させる。移動部１４４は例えば高ナットである。移動部１４４は第２支持部１４２の貫通孔１４２Ｂに配置される。ボルト１４３が第１方向に回転した場合、移動部１４４は第２支持部１４２とともに被挿入部１１０が第２位置に向かうようにボルト１４３の軸方向に移動する。ボルト１４３が第２方向に回転した場合、移動部１４４は第２支持部１４２とともに被挿入部１１０が第１位置に向かうようにボルト１４３の軸方向に移動する。
【００２８】
操作部１４５はボルト１４３を第１方向または第２方向に回転させるときにユーザによって操作される。ボルト１４３を容易に回転させることができるため、被挿入部１１０の第１位置と第２位置とを容易に切り替えることができる。操作部１４５は例えばナットである。操作部１４５はボルト１４３と一体的に回転できるようにボルト１４３に結合される。操作部１４５はボルト１４３のうちの第１支持部１４１の底面１４１Ｃと接触する位置に設けられる。操作部１４５は被挿入部１１０が第１位置および第２位置において、小窓１３２Ａ(図５参照)と面する位置に設けられる。
【００２９】
付勢部材１４６は被挿入部１１０を第２位置に付勢する。被挿入部１１０が第２位置の状態を容易に維持できるため、第２種仕切板８２が収納棚１０から外れにくい。付勢部材１４６は例えば、圧縮ばねである。付勢部材１４６は被挿入部１１０が第２位置(図１２参照)のときに第１支持部１４１と第２支持部１４２とが互いに接近しないように、操作部１４５と移動部１４４とが離間するように付勢する。
【００３０】
図３に示される複数の小棚板９０は基礎棚板４０の長手方向に沿って並べられた仕切板８０のうちの隣り合う仕切板８０の間の領域を区画する。小棚板９０は仕切板８０に取り付けられる支持ダボ１２０(図３参照)に支持される。
【００３１】
収納部１５０は室２１０の壁２２０および天井２４０に固定される。収納部１５０は一対の縦枠２０と天井２４０との間に設けられ、一対の縦枠２０の端部に支持される。換言すれば、収納部１５０は一対の縦枠２０の上方に設置される。このため、収納システム１が第２形態のときに、一対の縦枠２０の間をユーザが容易に通過できる。収納部１５０は第２形態の収納システム１において、間仕切収納部材３０を収納できるように構成された箱である。収納部１５０を構成する主な要素は一対の側壁１５１(図１参照)、上壁１５２、底壁１５３、背壁１５４、補強部１５５、および、扉１５６である。間仕切収納部材３０を収納する収納空間１５０Ａを形成する箱が構成されるように、各側壁１５１、上壁１５２、底壁１５３、背壁１５４、および、補強部１５５が結合手段により結合されている。結合手段の一例はねじ、接着剤、および、凹凸により構成される嵌合構造である。各壁１５１〜１５４により構成される箱の開口部１５０Ｂの一部を閉鎖するように、補強部１５５が底壁１５３に連結されている。このため、収納部１５０のうちの扉１５６側についても剛性が高められる。開口部１５０Ｂを開閉できるように補強部１５５に扉１５６が連結されている。扉１５６の種類は任意に選択可能である。図３等に示される例では、扉１５６は例えば下開き扉である。扉１５６が開口部１５０Ｂを開放している状態において扉１５６が自重で閉じないため、開口部１５０Ｂを介して間仕切収納部材３０を容易に出し入れできる。補強部１５５と扉１５６とを連結する手段の一例はヒンジである。上壁１５２は天井２４０の桟、合板、または、梁等(いずれも図示略)に任意の結合手段により結合されている。
【００３２】
収納部１５０の容積は任意に選択できる。好ましい例では、収納部１５０の容積は間仕切収納部材３０の全体の体積に基づいて決められる。このため、間仕切収納部材３０を収納部１５０に容易に収納できる。一例では、収納部１５０の容積は間仕切収納部材３０の全体が収納できるように決められる。別の例では、収納部１５０の容積に応じて間仕切収納部材３０の全体の体積が調整される。収納部１５０における間仕切収納部材３０の収納方法は任意に選択できる。一例では、底壁１５３に複数の基礎棚板４０が重ねて収納される。複数の基礎棚板４０の上には、図４に示されるように、非開口パネル５０、開口パネル６０、引出ユニット７０、仕切板８０、小棚板９０、および、その他の部品等が載せられる。収納部１５０に収納された基礎棚板４０が収納部１５０の剛性に寄与するため、収納部１５０の剛性が一層高められる。好ましい例では、非開口パネル５０、開口パネル６０、引出ユニット７０、仕切板８０、小棚板９０、および、その他の部品等はそれぞれ、専用のボックス３１に収納された状態で基礎棚板４０に載せられる。このため、収納部１５０に収納可能である非開口パネル５０、開口パネル６０、引出ユニット７０、仕切板８０、小棚板９０、および、その他の部品等の種類および数を容易に把握できる。その他の部品の一例は取手６３、７３、被挿入部１１０、支持ダボ１２０、および、収納システム１の取扱説明書３２である。
【００３３】
収納システム１の使用方法の一例について説明する。なお、図１０〜図１２においては、第２種仕切板８２から小窓１３２Ａが設けられる側板１３２を省略している。
収納システム１の形態を第２形態から第１形態に変更する場合、収納部１５０に収納されている間仕切収納部材３０が収納部１５０から取り出される。次に、図７に示されるように、収納システム１の高さ方向において最も下方に配置される基礎棚板４０の凸部４２が一対の縦枠２０の凹部２１に挿入される。以降は、第１工程と第２工程とが繰り返し実施される。第１工程は複数の第１種仕切板８１に取り付けられた被挿入部１１０を基礎棚板４０の穴４１Ｂに挿入することによって、複数の第１種仕切板８１と基礎棚板４０とを連結する工程である。第２工程は、図８に示されるように、基礎棚板４０と連結されている複数の第１種仕切板８１の被挿入部１１０と別の基礎棚板４０とが連結されるように、かつ、基礎棚板４０の凸部４２が一対の縦枠２０の凹部２１に挿入されるように基礎棚板４０を配置する工程である。第１工程および第２工程は収納システム１の高さ方向において最も上方に配置される基礎棚板４０(以下「最も上の基礎棚板４０」という)の配置が完了するまで繰り返し実施される。その後、ユーザの好みに応じて、非開口パネル５０、開口パネル６０、引出ユニット７０、および、小棚板９０が配置される。
【００３４】
図９に示されるように、収納システム１の高さ方向において最も上方に配置される基礎棚板４０の配置が完了したとき、被挿入部１１０が取り付けられた第１種仕切板８１を最も上の基礎棚板４０と収納部１５０の底壁１５３との間に配置しようとしても、被挿入部１１０が最も上の基礎棚板４０および底壁１５３と干渉する。このため、第１種仕切板８１を容易に配置できない。収納システム１ではこのような事情を考慮し、最も上の基礎棚板４０と収納部１５０との間に第２種仕切板８２を配置するようにしている。
【００３５】
図１０に示されるように、最も上の基礎棚板４０と収納部１５０の底壁１５３との間に第２種仕切板８２を配置する場合、被挿入部１１０が第１位置の状態で第２種仕切板８２を最も上の基礎棚板４０と底壁１５３との間に挿入する。次に、ボルト１４３が第１方向に回転するように操作部１４５を操作する。ボルト１４３が第１方向に回転することによって、移動部１４４および第２支持部１４２がボルト１４３の軸方向に沿って底壁１３４に接近する。図１１に示されるように、第２支持部１４２が底壁１３４に接触したとき、第２被挿入部１１２の先端が底壁１３４から突出し、第２位置となり、最も上の基礎棚板４０の穴４１Ｂに挿入される。
【００３６】
第２支持部１４２が底壁１３４に接触した状態では、移動部１４４の底壁１３４に接近する方向の移動が規制される。この状態で、ボルト１４３が第１方向に回転するように操作部１４５にさらに力が加えられた場合、ボルト１４３および操作部１４５が底壁１５３に接近する。第１支持部１４１の底面１４１Ｃは操作部１４５と接触しているため、操作部１４５の移動にともない、第１支持部１４１が底壁１５３に接近する。図１２に示されるように、第１支持部１４１が底壁１５３に接触したとき、第１被挿入部１１１が第２位置となり、第１被挿入部１１１の先端が底壁１５３の穴１５３Ａに挿入される。
【００３７】
第２種仕切板８２を収納棚１０から取り外す場合、ボルト１４３が第２方向に回転するように操作部１４５を操作する。ボルト１４３が第２方向に回転することによって、第１支持部１４１および操作部１４５が底壁１５３から離間する方向、すなわち、突出部１３５の上面１３５Ａに接近する方向に移動する。このため、底壁１５３の穴１５３Ａから第１被挿入部１１１が抜かれる。第１支持部１４１が突出部１３５の上面１３５Ａに接触したとき、第１支持部１４１および操作部１４５の底壁１５３から離間する方向の移動が規制される。この状態で、ボルト１４３が第２方向に回転するように操作部１４５にさらに力が加えられた場合、移動部１４４および第２支持部１４２が底壁１３４から離間する。このため、最も上の基礎棚板４０の穴４１Ｂから第２被挿入部１１２が抜かれる。第２支持部１４２が突出部１３５の下面１３５Ｂに接触したとき、第２被挿入部１１２の先端が底壁１３４の穴１３４Ａに収容され、第１位置となる。
【００３８】
仕切板８０の作用および効果について説明する。
第２種仕切板８２によれば、被挿入部１１０が第１位置の状態で第２種仕切板８２を収納棚１０の収容空間に配置し、切換部１４０によって被挿入部１１０の位置を第２位置に切り替えることによって、被挿入部１１０が収納棚１０の穴４１Ｂ、１５３Ａに挿入される。このため、収納棚１０を分解することなく、第２種仕切板８２を設置できる。被挿入部１１０が第２位置の状態で切換部１４０によって被挿入部１１０を第１位置に切り替えることによって、被挿入部１１０が収納棚１０の穴４１Ｂ、１５３Ａから抜かれる。このため、収納棚１０を分解することなく、第２種仕切板８２を収納棚１０から取り外すことができる。このように、第２種仕切板８２によれば、設置および取り外しを容易に行なうことができる。
【００３９】
(変形例)
上記実施形態は本発明に関する仕切板が取り得る形態の例示であり、その形態を制限することを意図していない。本発明に関する仕切板は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００４０】
・切換部１４０の構成は任意に変更可能である。変形例の第２種仕切板８２では、被挿入部１１０が第２位置のとき、第１支持部１４１が仕切部１３０の外郭から突出しないように構成される。
【符号の説明】
【００４１】
１０  ：収納棚
８２  ：第２種仕切板(仕切板)
１１０：被挿入部
１３０：仕切部
１４０：切換部
１４４：移動部
１４５：操作部
１４６：付勢部材
【図１】
2020054526.tif 000003
【図２】
2020054526.tif 000004
【図３】
2020054526.tif 000005
【図４】
2020054526.tif 000006
【図５】
2020054526.tif 000007
【図６】
2020054526.tif 000008
【図７】
2020054526.tif 000009
【図８】
2020054526.tif 000010
【図９】
2020054526.tif 000011
【図１０】
2020054526.tif 000012
【図１１】
2020054526.tif 000013
【図１２】
2020054526.tif 000014